(57)【要約】【課題】リングスリーブによる電線（銅線）の圧着作業の際、リングスリーブを落としたり、リングスリーブが動くことで圧着作業が手間を取り時間がかかることがある。作業時間の短縮と圧着ミス、破損をなくすことで欠陥を解消することができる。【解決手段】２〜４本の銅線をリングスリーブ７で１つに圧着しつつ、その大きさをリングスリーブ７に刻印する作業における圧着ペンチ１に装着する補助具５，６。リングスリーブの径と略同一の溝５ｅ，５ｆを有し、可とう性のある素材で形成されている。歯側面に形成された湾曲内側を除いて、歯側面の表側及び裏側を被覆し、その被覆する厚みＤは上下各々略２ｍｍである。また、溝はＵ字型である方が好ましい。リングスリーブ固定式補助具付き圧着ペンチ１は、この補助具５，６を、圧着ペンチ１の歯側面に取り付けている。【選択図】図２
2020129530.tif 000002
【特許請求の範囲】
【請求項１】
複数本の銅線をリングスリーブで１つに束ねて圧着しつつ、圧着に使用した歯の大きさをリングスリーブに刻印する作業における圧着ペンチに装着する補助具であって、
前記圧着ペンチの歯側面に対向する背面と当接する背部と、
前記圧着ペンチの表面に当接する表部と
前記圧着ペンチの裏面に当接する裏部と、
前記圧着ペンチの先端を挿入して嵌め込む開口された空洞孔の挿入部と、
から構成され、
前記開口端は、前記表部側にリングスリーブを仮止めできる溝を形成して凹凸状であり、前記裏部側は直線状である補助具。
【請求項２】
前記溝はＵ字型である請求項１記載の補助具。
【請求項３】
前記挿入部内壁と表部との厚みは略２ｍｍである請求項１又は２記載の補助具。
【請求項４】
請求項１から３のいずれか記載の補助具を歯側に装着したリングスリーブ固定式補助具付き圧着ペンチ。
【発明の詳細な説明】
【技術分野】
【０００１】  本発明は、リングスリーブ固定式補助具及びリングスリーブ固定式補助具付き圧着ペンチに関するものである。
【背景技術】
【０００２】  国家試験の第一種電気工事士技能試験（試験作業時間６０分）、第二種電気工事士技能試験（試験作業時間４０分）、ものづくりコンテスト（電気工事部門）に向けて、国家試験合格とコンテストの優勝を目指して練習している。この試験とコンテストでは、リングスリーブを使って、２〜４本の銅線を１つに束ねる作業を複数個所、短時間に正確に行わなくてはならない。ちょっとのミスや、作業時間のロスが合否や勝敗を分ける。【０００３】  リングスリーブ作業の難しさ（課題）を上げると、例えば４つある。
（１）課題１「保持がしつつの作業が困難であること」
圧着ペンチ、リングスリーブの一対の柄、銅線など圧着作業中に保持しなければならないものが多いため、２つの手では保持することが難しい。複数の銅線を保持しつつ、リングスリーブと呼ばれるアルミ製の圧着具を嵌めこみ、圧着するという２つの手で３つの作業をこなす必要がある。
（２）課題２「リングスリーブが落下しやすいこと」
圧着作業中にアルミ製の軽いリングスリーブは落下しやすいことがあげられる。電気工事に使う銅線は太く固くて重く、それに対してリングスリーブはあまりに軽いため、リングスリーブの意図しない場所に銅線が少しでもあたると、リングスリーブは落下してしまう。
（３）課題３「リングスリーブへのサイズ刻印を中心にそろえることが難しいこと」
リングスリーブに刻印するマークをリングスリーブの中心に刻印することが難しい。一般的な圧着ペンチには、リングスリーブで圧着する銅線の太さを、大・中・小・特小として刻印するための凹凸があり、これによってマークを刻印する仕組みになっている。圧着の力で複数の銅線が束ねられ、その時リングスリーブの外側には、大・中・小・特小のマークが刻印される。特小については、特小の字の代わりに○マークが印字される。しかしながら、前記（１）〜（３）の作業に気を配りながら、１ｃｍ程度の長さしかないリングスリーブの中心にずれることなく刻印することは大変困難な作業になる。
（４）「リングスリーブが割れてしまうこと」
リングスリーブは、力を入れすぎると割れてしまうことがあるということも課題である。リングスリーブの圧着には強い力が必要だが、リングスリーブの保持には優しい力が、そして銅線の保持はそれらの中くらいの力が必要になる。すなわち作業の際には、両手の指それぞれ別々に、力を込めたり抜いたりする絶妙な感覚が必要になる。この技能が練習で身についていても、試験やコンテストで焦ると力を入れすぎてリングスリーブを割ってしまうことがしばしばある。【０００４】  以上のように、銅線どうしを圧着ペンチとリングスリーブを使って接続しようとした時に様々な課題があり、これを解決するような補助具を作れば、技能試験やコンテストに取り組む際、よりレベルの高い作業が用意かつ正確にできるようになると考えた。【０００５】  また、プロの電気工事士の方も暗所や狭い場所などより過酷な場所で作業することになるため、このような補助具があれば、作業が各段に楽になると考える。
【先行技術文献】
【特許文献】
【０００６】
【特許文献１】特開２０１５−０６９９７１号公報
【発明の概要】
【発明が解決しようとする課題】
【０００７】  特開２０１５−０６９９７１号の「ガイド付き圧着ペンチ」は、
「圧着作業時に圧着ペンチに圧着端子を仮固定し、
圧着端子の電線挿入穴により線の素線を挿入する工程において、
圧着端子の電線挿入穴の入り口に漏斗状のガイドを設け、
より線の素線を容易に入れることができ、また素線のはみ出しを無くす。」
という発明である。【０００８】  この従来技術と、本発明の大きな違いは、次の３点である。
（１）  圧着するものが、圧着端子とリングスリーブで全く異なり、従来技術では本発明のようにリングスリーブの圧着を意図していないこと。
（２）  従来技術が、圧着端子の穴に銅線を挿入することを容易にすることを目的としているのに対して、本発明は、複数の銅線を圧着する場合においてリングスリーブの位置を仮止めし作業効率を高めることを目的としており、その点が大きく異なっていること。
具体的には、圧着端子とリングスリーブは形状は異なっており、リングスリーブには、スカートと呼ばれる銅線の挿入を容易にするための形状を持つので、従来技術が示している圧着端子のように挿入が難しいという課題は少ない。よって本発明は作業中のリングスリーブの保持を主な目的にしている。
（３）  従来技術では、ガイドがバネで固定されており、本発明では、両面テープやゴム接着などで支持されている。ともに可とう性のある固定方法であることは共通だが、その目的は、従来技術が銅線を圧着端子に入れる際に導きやすくするためであって、本発明は、圧着の際のリングスリーブの破損防止を狙ったものであり、作用効果が異なっている。【０００９】  本発明は、このような点に鑑みてなされたものであり、上記（１）から（３）の課題解決を目的とする。
【課題を解決するための手段】
【００１０】  本発明は、圧着ペンチ（以下ペンチ）で、２〜４本の銅線をリングスリーブ（以下スリーブ）で１つに圧着しつつ、その大きさをスリーブに刻印する作業におけるペンチに装着する補助具の発明であって、
補助具にある溝によってスリーブが仮止めされることで、作業中のスリーブの落下を防ぎ、大きさの刻印をスリーブ中央に誘導するとともに、スリーブを保持する指の負担が減るため、適切な力で圧着できるようになり、作業中のスリーブ破損を防ぐことができる。【００１１】  すなわち、この補助具はペンチの上下の歯側面に１つずつ取り付けられている。この支持は両面テープやゴムなどの可とう性のある素材でなされ、０．５ｍｍ程度の３次元的な可動域をもっていることが望ましい。【００１２】  この補助具の溝の特徴は次の通りである。Ｖ字よりもＵ字型がよい。その溝は圧着する銅線に合わせて４つあり、内径はそれぞれスリーブの円筒部の外径に合わせて５ｍｍ、５ｍｍ、６．９ｍｍ、７．７ｍｍがよい。溝の厚みはサイズ刻印を中央に誘導するために２ｍｍがよい。
【発明の効果】
【００１３】（１）溝により、リングスリーブを仮止めでき作業を容易にする。
（２）溝により、リングスリーブを作業中に落とすことを防ぐ。
（３）厚みを規定しリングスリーブのスカート部分を溝に引っ掛けることで、リングスリーブの中心に圧着でき、刻印を中心に表示することができる。また、リングスリーブのスカート部分や円筒部分先端の過度な押圧や破損を防ぐ。
（４）リングスリーブが溝に固定されて、両手でペンチの柄を操作することができるので、圧着作業における作業者の力の加減を容易にする。
【図面の簡単な説明】
【００１４】
【図１】リングスリーブ用圧着ペンチに補助具を取り付けた斜視図。
【図２】補助具付近を部分的に拡大し、リングスリーブを保持する様子を説明するための斜視図。
【図３】補助具付近を部分的に拡大した正面図。
【発明を実施するための最良の形態】
【００１５】  この発明は、リングスリーブ用圧着ペンチ１と、補助具２，３から構成されている（図１参照）。【００１６】＜リングスリーブ用圧着ペンチ１について＞
リングスリーブ用圧着ペンチ１は、一般的なリングスリーブ用圧着ペンチである。ペンチ１の歯側面には小、中、大等の刻印１ａ，１ｂが彫られている（図２参照）。また、ペンチ１の表面や裏面の歯側近傍には、適切な歯（ダイス）を選択するような指標（１．６×２小，小，中，大）が設けてある（図３参照）。【００１７】＜補助具について＞
補助具２，３は、アクリル板もしくは金属板にＵ字形の溝を作った。
溝はＵ字形、Ｖ字形、Ｕ字形＋Ｖ字形の三種類を製作して比較検討してみた。結果、Ｕ字形の構造の溝を形成した補助具が、リングスリーブを落とすことなく、また動かないように仮止めでき、作業効率が最もよかった。なお、計画段階では○形も検討していたが、試作の段階で作業しにくいことが分かったので比較検討からは除いた。【００１８】  板の厚さについては、２．０ｍｍ、１．０．ｍｍで製作してみたが、略２．０ｍｍの板の厚さを使用することで、リングスリーブ用圧着ペンチで圧着するときにリングスリーブの特小、小、中、大の刻印を表示する際、リングスリーブの中心に刻印することができ略２．０ｍｍの板の厚さが最適であった。【００１９】  リングスリーブを仮止めする溝の湾曲の大きさは、特小５．０ｍｍ、小５．０ｍｍ、中６．９ｍｍ、大７．７ｍｍと略同一の径にすることで仮止めすることができた。【００２０】＜補助具について＞
補助具５，６はペンチの先端部分に嵌め込むことができる樹脂製のものである（図２，図３参照）。リングスリーブを仮止めする溝の湾曲の大きさは、特小５．０ｍｍ、小５．０ｍｍ、中６．９ｍｍ、大７．７ｍｍと略同一の径にすることで仮止めすることができた。補助具の厚さＤは略２．０ｍｍである。【００２１】  補助具５を例に詳述すると、ペンチ１の歯側面に対向する背面と当接する背部５ａ，ペンチ１の表面に当接する表部５ｂ，裏面に当接する裏部５ｃ，ペンチ１の先端を挿入して嵌め込む開口された空洞孔の挿入部５ｄから補助具５は構成されている。挿入部５ｄを開口し、底部も開口することで、嵌め込みを容易にする。表部５ｂ側には、溝５ｅ，５ｆが形成された凹凸状を呈しており、溝の湾曲部分の径はリングスリーブを仮止めできる大きさとなっている。【００２２】  裏部５ｃは、溝を形成しておらず、歯側面の湾曲部分に進入しない形状（直線状）として、表部６ｂと裏部５ｃ（対して表部５ｂと裏部６ｃ）とがペンチ１を閉じた際に干渉することを避けている。換言すれば、表部５ｂ，６ｂは溝を形成するのに合わせてペンチの閉方向に飛び出した形状を呈しているが、裏部５ｃ，６ｃは他方の表部５ｂ，６ｂと干渉しないように引っ込んだ形状を呈している。【００２３】＜リングスリーブについて＞
リングスリーブ７は、中空円錘状のスカート部７ａと中空円筒の円筒部７ｂとで構成され規格化されている。【００２４】  補助具５を用いてリングスリーブ７を仮止めする際には、スカート部７ａの先端を溝５ｆの上面に引っ掛け、円筒部７ｂが溝５ｆの湾曲に軽く嵌ることで、補助具５にリングスリーブ７を係止することができる。表部５ｂに溝が形成され裏部５ｃに溝が形成されていないことから、表部５ｂの上面にスカート部７ａを引っ掛ければよいことが視覚的にも容易である。【００２５】  圧着する際には、スカート部７ａの引っ掛けが離れないようにリングスリーブ７に挿入された銅線を保持することで、補助具の厚みＤをもってしてリングスリーブ７の円筒部７ｂ略中央に刻印をガイドすることができる。円筒部７ｂが圧着の際に力加減によって捻じれたりしないよう仮止めはスカート部７ａの引っ掛けのみで固定することとし、円筒部７ｂの先端を解放して、リングスリーブ７の可動を担保している。【００２６】  補助具２，３，５，６は、ペンチ１に設けてある指標（１．６×２小，小，中，大）が可視可能なように透明又は半透明な素材であることが好ましい。
【産業上の利用可能性】
【００２７】  本発明によれば、以下の点で有用である。
国家試験の第一種電気工事士技能試験（試験作業時間６０分）、第二種電気工事士技能試験（試験作業時間４０分）、ものづくりコンテスト（電気工事部門）において、リングスリーブによる電線（銅線）の圧着作業の際、リングスリーブを落としたり、リングスリーブが動くことで圧着作業が手間を取り時間がかかることがあるが、発明した補助具をリングスリーブ用圧着ペンチに取り付け作業時間の短縮と圧着ミス、破損をなくすことで欠陥を解消することができる。電気工事士の技能試験への練習の技術の向上とものづくりコンテストの作業効率の向上にもなる。
【符号の説明】
【００２８】  １  リングスリーブ用圧着ペンチ
２，３，５，６  補助具
７  リングスリーブ
【図１】
2020129530.tif 000003
【図２】
2020129530.tif 000004
【図３】
2020129530.tif 000005
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
複数本の銅線を中空円錘状のスカート部と中空円筒の円筒部とで構成されたリングスリーブで１つに束ねて圧着しつつ、圧着に使用した歯の大きさをリングスリーブに刻印する作業における圧着ペンチに装着する補助具であって、
前記圧着ペンチの歯側面に対向する背面と当接する背部と、
前記圧着ペンチの表面に当接する表部と
前記圧着ペンチの裏面に当接する裏部と、
前記圧着ペンチの先端を挿入して嵌め込む開口された開口端を有する前記背部、前記表部及び前記裏部で囲まれた空洞孔の挿入部と、
から一体形成して構成され、前記背部に対して前記表部及び前記裏部がそれぞれ略直角かつ相対的位置関係が不変であり、
前記開口端は、前記表部側にリングスリーブの前記スカート部を仮止めできる溝を形成して凹凸状であり、前記裏部側は直線状である補助具。
【請求項２】
前記溝は円弧部分から延伸した並行先端部分を有するＵ字型である請求項１記載の補助具。
【請求項３】
前記表部の外壁と内壁の間における前記溝の位置の厚みは略２ｍｍである請求項１又は２記載の補助具。
【請求項４】
請求項１から３のいずれか記載の補助具を用いて、圧着ペンチの歯の凹部と前記補助具の溝とを一致させて歯側に装着したリングスリーブ固定式補助具付き圧着ペンチ。